(57)【要約】【課題】周囲の環境をマイナスイオンが豊富な環境にすること。【解決手段】室内壁面に木炭粉末を含有した塗料を塗布、または木炭粉末を含有した塗料を塗布した成形体を用いて周囲の環境を改善する方法であって、室内の床面を絶縁体で形成し、壁面または成形体を地中に埋設した接地電極及び発電機のそのうち少なくともひとつ以上を接続させることにより、周囲の環境をマイナスイオンが豊富な環境にできる。【選択図】図１
2007170117.tif 000002
【特許請求の範囲】
【請求項１】
室内壁面に木炭粉末を含有した塗料を塗布、または木炭粉末を含有した塗料を塗布した成形体を用いて周囲の環境を改善する方法であって、室内の床面を絶縁体で形成し、壁面または成形体を地中に埋設した接地電極及び発電機のそのうち少なくともひとつ以上を接続することを特徴とする室内環境改善方法。
【請求項２】
木炭粉末を含有した塗料は、ナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂またはナイロン６と、ナイロン６６と、ナイロン１２とからなる高融点型ナイロン樹脂と、これらのナイロン樹脂の溶剤と、木炭粉末とを含有した塗料組成物であり、それら木炭塗料を室内壁面に塗装または塗装した成形体を使用したり、板状または網目状を呈する金属の板からなる成形体、金属繊維を織り込んだ成形体を使用することを特徴とする請求項１に記載の室内環境改善方法。
【請求項３】
前記接地電極は、少なくとも金属またはプラスチックを用いて有底筒体に形成された本体と、本体内に収納される木炭と触媒とからなる接地電極装置であることを特徴とする請求項１に記載の室内環境改善方法。
【請求項４】
前記本体内に収納される木炭と触媒との割合は、木炭１００重量部に対し、触媒が略５〜３０重量部であることを特徴とする請求項３に記載の室内環境改善方法。
【請求項５】
前記本体内に収納される木炭は、直径が略１〜１０ｍｍの粒体であることを特徴とする請求項３または４に記載の室内環境改善方法。
【請求項６】
前記本体内に収納される触媒は、塩化ナトリウムであることを特徴とする請求項３乃至５のいずれかに記載の室内環境改善方法。
【請求項７】
前記金属は、ステンレスであることを特徴とする請求項３に記載の室内環境改善方法。
【請求項８】
前記本体は、蓋部材を配設して密閉構造にしたことを特徴とする請求項３に記載の室内環境改善方法。
【請求項９】
前記蓋部材には、接続用の電極を配設したことを特徴とする請求項８に記載の室内環境改善方法。
【請求項１０】
前記接地電極は、地中の略０．５〜２ｍの深さに埋設された電極または地中のアースと接続された電極であることを特徴とする請求項１または３に記載の室内環境改善方法。
【請求項１１】
前記発電機は、太陽電池、乾電池または定電圧発生器であり、発生電圧が１．５〜１００Ｖであることを特徴とする請求項１に記載の室内環境改善方法。
【発明の詳細な説明】
【技術分野】
【０００１】
本発明は、室内壁面に木炭粉末を含有した塗料を塗布、または木炭粉末を含有した塗料を塗布した成形体を用いることで、壁面をマイナスに帯電させて周囲のプラスイオンを吸着させて、該周囲の環境をプラスイオンが少なくてマイナスイオンが豊富な環境に改善する方法に関するものである。
【背景技術】
【０００２】
従来、この種の技術としては、例えば、木炭粉末を含有した塗料を室内の壁面に塗布して室内の環境を改善する方法であって、前記室内の床面を絶縁体で形成し、前記壁面を地中に埋設した接地電極に接続して接地電位にすることを特徴とする室内環境改善方法がある（特許文献１参照）。
【０００３】
また、表面に木炭粉末を含有した塗料を塗布した成形体を用いて周囲の環境を改善する方法であって、該木炭粉末を含有した塗料を塗布した面に電気回路等の外的要因を付与することにより周囲の雰囲気中のプラスイオンを前記木炭粉末を含有した塗料を塗布した面に吸着させマイナスイオンの多い環境にすることを特徴とする環境改善方法がある（特許文献２参照）。
【０００４】
【特許文献１】特開２００４−２４４８３７号公報
【特許文献２】特開２００５−２３０６４６号公報
【発明の開示】
【発明が解決しようとする課題】
【０００５】
本発明においては、前記特許文献１の特開２００４−２４４８３７号を基本発明とし、この基本発明より周囲の環境をマイナスイオンが豊富な環境にするということを目的とする。
【課題を解決するための手段】
【０００６】
上記した従来例の課題を解決する具体的手段として本発明に係る室内環境改善方法は、室内壁面に木炭粉末を含有した塗料を塗布、または木炭粉末を含有した塗料を塗布した成形体を用いて周囲の環境を改善する方法であって、室内の床面を絶縁体で形成し、壁面または成形体を地中に埋設した接地電極及び発電機のそのうち少なくともひとつ以上を接続することを最も主要な特徴とする。
【０００７】
この発明において、木炭粉末を含有した塗料は、ナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂またはナイロン６と、ナイロン６６と、ナイロン１２とからなる高融点型ナイロン樹脂と、これらのナイロン樹脂の溶剤と、木炭粉末とを含有した塗料組成物であり、それら木炭塗料を室内壁面に塗装または塗装した成形体を使用したり、板状または網目状を呈する金属の板からなる成形体、金属繊維を織り込んだ成形体を使用すること；前記接地電極としては、少なくとも金属またはプラスチックを用いて有底筒体に形成された本体と、本体内に収納される木炭と触媒とからなる接地電極装置を用いることができること；前記本体内に収納される木炭と触媒との割合は、木炭１００重量部に対し、触媒が略５〜３０重量部であること；前記本体内に収納される木炭は、直径が略１〜１０ｍｍの粒体であること；前記本体内に収納される触媒は、塩化ナトリウムであること；前記金属は、ステンレスであること；前記本体は、蓋部材を配設して密閉構造にしたこと；前記蓋部材には、接続用の電極を配設したこと；前記接地電極は、地中の略０．５〜２ｍの深さに埋設された電極または地中のアースと接続された電極であること；前記発電機は、太陽電池、乾電池または定電圧発生器であり、発生電圧が１．５〜１００Ｖであること；を付加的な要件として含むものである。
【発明の効果】
【０００８】
本発明に係る室内環境改善方法は、室内壁面に木炭粉末を含有した塗料を塗布、または木炭粉末を含有した塗料を塗布した成形体を用いて周囲の環境を改善する方法であって、室内の床面を絶縁体で形成し、壁面または成形体を地中に埋設した接地電極及び発電機のそのうち少なくともひとつ以上を接続させることによって、木炭粉末の電気的なバランスを調整して木炭の効力を維持させると共に、壁面をマイナスに帯電させて周囲のプラスイオンを吸着させ、その際に、該マイナスイオンが床面から漏脱することを防止して、周囲の環境をプラスイオンが少なくてマイナスイオンが豊富な環境により一層改善することができるという優れた効果を奏する。
【発明を実施するための最良の形態】
【０００９】
本発明の実施の形態に係る室内環境改善方法は、室内壁面に木炭粉末を含有した塗料を塗布、または木炭粉末を含有した塗料を塗布した成形体を配設し、且つ室内の床面を絶縁体で形成し、内部に木炭と触媒とを収納した接地電極装置を地中に埋設し、前記壁面または成形体を発電機を介して接地電極装置に接続するのが良い。
【実施例１】
【００１０】
次に、本発明を具体的な実施の形態に基づいて詳しく説明する。
本発明の実施例１に係る室内環境改善方法を図１及び図２を用いて説明する。図１に、実施例１の室内環境改善方法の概略図を示し、図２に、接地電極装置の略示的な断面図を示してある。この実施例１においては、室内の壁面１に木炭粉末を含有した塗料を塗布している。
【００１１】
この木炭粉末を含有した塗料としては、木炭粉末を含有した塗料であればいずれのものを使用しても良いが、特に、特開第３１３３９６２号公報に開示された技術であるナイロン（登録商標）６と、ナイロン（登録商標）６６と、ナイロン（登録商標）１２と、ナイロン（登録商標）６１０とからなる高融点型ナイロン（登録商標）樹脂、ナイロン（登録商標）６と、ナイロン（登録商標）６６と、ナイロン（登録商標）１２とからなる低融点型ナイロン（登録商標）樹脂またはナイロン（登録商標）６と、ナイロン（登録商標）６６と、ナイロン（登録商標）１２とからなる高融点型ナイロン（登録商標）樹脂と、これらのナイロン（登録商標）樹脂の溶剤と、木炭粉末とを含有した塗料組成物である、ヘルスコート（登録商標：アーテック工房（株）社製）等を使用することが好ましい。
【００１２】
なお、室内の壁材として、木炭粉末を含有した塗料を塗布した成形体を用いても良い。また、この成形体としては、板状または網目状を呈する金属の板からなる成形体、金属繊維を織り込んだ成形体を使用することができる。
【００１３】
壁面１には、電線等の導体２が接続されており、該導体２は、地中に埋設された接地電極３に接続されている。この接地電極３は、地中の略０．５〜２ｍの深さに埋設してある。この接地電極３としては、棒状の金属等を用いることができるが、例えば、特開２００４−２４４８３７号公報に開示された技術である接地電極装置を用いることが好ましい。
【００１４】
この接地電極３として用いることのできる接地電極装置は、外観が本体４と蓋部材５とから構成されている。これら本体４と蓋部材５とは、ステンレス等の金属または絶縁物であるプラスチック（ＰＥ、ＰＰ、ＰＳまたはＰＶＣ等）等を用いて形成されており、前記本体４が有底筒体に形成され、その開口部に蓋部材５を設けて施蓋し密閉する構成になっている。
【００１５】
有底筒体に形成された本体４内には、木炭６と図示していない触媒とが収納されている。これら木炭６と触媒との割合は、木炭６が１００重量部であるのに対して、触媒が略５〜３０重量部程度であれば良い。
【００１６】
また、前記木炭６としては、直径が略１〜１０ｍｍ程度のものを用いることができ、前記触媒としては、塩化ナトリウム等を用いることができる。
【００１７】
前記蓋部材５には、接地電極３として使用する接地電極装置に接続される導体２との接続を容易にするために、接続用の電極７を配設してある。該接続用の電極７は、本体４の内部に収納された木炭６の効力を容易に取り出すことができるように、これら木炭６と触媒とに接触するように設けてある。
【００１８】
このように、木炭粉末を含有した塗料を壁面１に塗布することにより、該木炭粉末の効力を得ることができ、また、壁面１と地中に埋設された接地電極３とを導体２により接続して壁面１を接地電位にすることにより、壁面１に塗布された木炭粉末の電気的なバランスが接地電位に調整されるので、長い時間が経過したとしても、木炭の効力を維持できるようになるのである。
【００１９】
また、前記室内の床面８は、絶縁体で形成してある。この絶縁体としては、例えば、合成樹脂板等の絶縁体を使用することができる。なお、本発明においては、前記室内の床面８全体を絶縁体で形成するだけでなく、該床面８にゴム製のシートまたは合成樹脂板等の絶縁体９を配設させることも含むものである。
【００２０】
このように、室内の床面８を絶縁体で形成することにより、該床面８が絶縁された状態になるため、該床面からマイナスイオンの電位が漏脱することを防止でき、更に、前記室内の壁面１に木炭粉末を含有した塗料を塗布し、該壁面１を地中に埋設した接地電極に接続して該壁面１を接地電位にすることにより、前記木炭粉末の電気的なバランスを調整して木炭の効力が維持されると共に、室内環境をマイナスイオンが豊富に存在する環境に維持でき、更に、ホルムアルデヒド等の揮発性有機化合物（ＶＯＣ）も吸収することもできるのである。
【実施例２】
【００２１】
この実施例２においては、前記実施例１の壁面１と接地電極３との接続の方法を変えたものであり、その他の構成については、前記実施例１と同様であるため、前記実施例１と同様のものについては、同一の符号を付し、その詳細な説明については、重複するため省略する。
【００２２】
図３に、実施例２の室内環境改善方法の概略図を示してある。この図３に示したように、地中に埋設されたアース（接地電極３）に接続された接地電極装置等の電極１０を接地電極３として使用することができる。
【実施例３】
【００２３】
この実施例３においては、前記実施例２の電極１０に換えて発電機を使用するものであり、その他の構成については、前記実施例２と同様であるため、前記実施例２と同様のものについては、同一の符号を付し、その詳細な説明については、重複するため省略する。
【００２４】
図４に、実施例３の室内環境改善方法の概略図を示してある。壁面１に接続された導体２の他端は、発電機１１の負極側に接続され、該発電機１１の正極側にはアース（接地電極３）が接続されている。
【００２５】
この発電機１１としては、太陽電池、乾電池または定電圧発生器等を使用することができ、前記発電機１１の発生電圧としては、１．５〜１００Ｖの範囲で使用できる。
【００２６】
このように、壁面１と接地電極３とを発電機１１を介して接続することによって、壁面１における木炭粉末の帯電を防止し、該木炭粉末を活性化させることができるようになり、該木炭粉末が有するプラスイオンを吸着させる作用をより一層向上させることができるようになって、前記壁面１で周囲の雰囲気中のプラスイオンをより多く吸着させて減少させることができ、相対的に前記木炭粉末を含有した塗料を塗布した面の周囲の雰囲気をマイナスイオンの多い環境にすることができるのである。
【実施例４】
【００２７】
この実施例４においては、前記実施例３の接地電極３をアースに換えて接地電極装置を用いたものであり、その他の構成については、前記実施例３と同様であるため、前記実施例３と同様のものについては、同一の符号を付し、その詳細な説明については、重複するため省略する。
【００２８】
図５に、実施例４の室内環境改善方法の概略図を示してある。壁面１に接続された導体２の他端は、発電機１１の負極側に接続され、該発電機１１の正極側には接地電極装置（接地電極３）が接続されている。
【実施例５】
【００２９】
この実施例５においては、前記実施例２と実施例３とを組み合わせたものであり、その他の構成については、前記実施例２及び実施例３と同様であるため、前記実施例２及び実施例３と同様のものについては、同一の符号を付し、その詳細な説明については、重複するため省略する。
【００３０】
図６に、実施例５の室内環境改善方法の概略図を示してある。壁面１に接続された導体２の他端は、接地電極装置等の電極１０の一電極に接続され、該電極１０の他電極が発電機１１の負極側に接続され、該発電機１１の正極側には接地電極装置（接地電極３）が接続されている。
【図面の簡単な説明】
【００３１】
【図１】本発明の実施例１に係る室内環境改善方法の概略図である。
【図２】同室内環境改善方法に用いる接地電極装置の略示的な断面図である。
【図３】本発明の実施例２に係る室内環境改善方法の概略図である。
【図４】本発明の実施例３に係る室内環境改善方法の概略図である。
【図５】本発明の実施例４に係る室内環境改善方法の概略図である。
【図６】本発明の実施例５に係る室内環境改善方法の概略図である。
【符号の説明】
【００３２】
１  壁面
２  導体
３  接地電極
４  本体
５  蓋部材
６  木炭
７  接続用の電極
８  床面
９  絶縁体
１０  電極
１１  発電機
【図１】
2007170117.tif 000003
【図２】
2007170117.tif 000004
【図３】
2007170117.tif 000005
【図４】
2007170117.tif 000006
【図５】
2007170117.tif 000007
【図６】
2007170117.tif 000008